(57)【要約】【課題】外力が加わることによるファンガードや防塵フィルタの変形および破損を確実に防止するとともに、壁面やカーテンなどによって防塵フィルタが塞がれることによる吸気効率の悪化を確実に防止することが可能な防塵フィルタの保護機構を備えた温風暖房器を提供する。【解決手段】温風暖房器１は、空気を取り込むための取込口を含む側裏板３と、取込口を覆うように側裏板３に取付けられるファンガード２０と、ファンガード２０を覆うように取付けられる防塵フィルタ３０と、防塵フィルタ３０の主表面上方に位置し、防塵フィルタ３０を跨ぐように延びるガード３７ａ，３７ｂとを備える。ガード３７ａ，３７ｂは、防塵フィルタ３０の主表面上方に位置する第１の位置と、防塵フィルタ３０の主表面側方に位置する第２の位置との間を自在に回動する。【選択図】　　　　図１
2004101059.tif 000002
【特許請求の範囲】
【請求項１】
空気を取り込むための開口を含む筐体と、
前記開口を覆うように前記筐体に取付けられる防塵フィルタと、
前記防塵フィルタの主表面上方に位置し、前記防塵フィルタを跨ぐように延びる防塵フィルタ保護部材とを備える、防塵フィルタの保護機構。
【請求項２】
前記防塵フィルタ保護部材は、前記防塵フィルタの主表面上方に位置する第１の位置と、前記防塵フィルタの主表面側方に位置する第２の位置との間を自在に回動するように設けられている、請求項１に記載の防塵フィルタの保護機構。
【請求項３】
前記防塵フィルタ保護部材は、前記回動動作の基点となる第１および第２の回動軸部と、前記第１および第２の回動軸部のそれぞれから立設して延びる第１および第２の延伸部と、前記第１および第２の延伸部の前記第１および第２の回動軸部側とは反対側の端部同士を結ぶ連結部とを含み、
前記防塵フィルタは、前記主表面を構成する網目状部と、射出成形により前記網目状部の周縁を覆うように前記網目状部に一体的に形成される樹脂成形部とを含み、
前記樹脂成形部は、前記第１および第２の回動軸部を受入れる軸支部を有し、前記第１および第２の回動軸部が前記軸支部に軸支されることにより、前記防塵フィルタ保護部材が前記防塵フィルタに取付けられている、請求項２に記載の防塵フィルタの保護機構。
【請求項４】
前記防塵フィルタ保護部材を一対備え、前記一対の防塵フィルタ保護部材の各々が互いに異なる方向に向かって回動する、請求項２または３に記載の防塵フィルタの保護機構。
【請求項５】
前記第１および第２の延伸部のそれぞれには、前記防塵フィルタ保護部材が前記第１の位置から前記第２の位置へ回動する方向に向かって、曲げ加工が施されている、請求項２から４のいずれかに記載の防塵フィルタの保護機構。
【請求項６】
請求項１から５のいずれかに記載の防塵フィルタの保護機構を備えた、温風暖房器。
【発明の詳細な説明】
【０００１】
【発明の属する技術分野】
本発明は、空気中に含まれる塵や埃を除去する防塵フィルタの保護機構に関するものであり、また、この防塵フィルタの保護機構を備えた温風暖房器に関するものである。
【０００２】
【従来の技術】
機器本体外部の空気を機器本体内部へ取り込み、その後、機器本体外部へ吹き出す機構を備えた機器にあっては、空気を取り込むための吸気口と空気を吹き出すための吹出口とが機器本体に設けられる。このうち吸気口には、空気中に含まれる塵や埃を除去するための防塵フィルタが取付けられるのが一般的である。この防塵フィルタを備えた機器として、たとえば石油ファンヒータに代表される温風暖房器が知られている。
【０００３】
図８は、従来の一般的な温風暖房器の構造を示す概略斜視図である。図８に示すように、温風暖房器１０１は、箱形状の筐体を備えている。筐体は、前板１０４、側裏板１０３および天板１０５が組み合わされることによって形成されており、この筐体が置台１０２の上に載置されることにより、温風暖房器１０１の外装体が構成される。
【０００４】
前板１０４には、温風の吹出口（図示せず）が設けられる。天板１０５には、燃料タンク１０６を筐体内部にセットするための開口や、温風暖房器１０１の運転動作の切換え等を行なうための操作部１０７が配置される。側裏板１０３の背面部分には、外部の空気を取り込むための吸気口である取込口（図示せず）が設けられる。
【０００５】
側裏板１０３の背面部分に設けられた取込口は、ファンガード１２０によって覆われる。ファンガード１２０は、その主面に多数の通気孔１２０ａを有している。ファンガード１２０は、筐体内部に設置されたプロペラファン１１０（図９参照）を保護したり、プロペラファン１１０を取付けるための部材として機能するものであり、たとえば金属製の板状部材をプレス加工することによって形成される。ファンガード１２０は、たとえばビス等によって筐体の側裏板１０３に固定される。
【０００６】
ファンガード１２０は、さらに防塵フィルタ１３０によって覆われる。防塵フィルタ１３０は、たとえば金属製の細線を平織りにすることによって形成された網目状部を有しており、この網目状部には微細な孔が無数に存在している。防塵フィルタ１３０は、たとえばビス等によって筐体の側裏板１０３に固定される。
【０００７】
図９は、図８に示す温風暖房器のＩＸ−ＩＸ線に沿う概略断面図である。なお、図中に示す矢印は空気の流れを示すものである。温風暖房器１０１の運転動作時には、ファンガード１２０に取付けられたモータ１０９が通電されることにより駆動され、プロペラファン１１０を回転駆動する。プロペラファン１１０の回転動作により、防塵フィルタ１３０の微細孔およびファンガード１２０の通気孔１２０ａを介して温風暖房器１０１の筐体外部に位置する空気が側裏板１０３に設けれた取込口１０３ａから筐体内部へと取り込まれる（図中、矢印Ｂ１方向）。このとき、防塵フィルタ１３０の網目状部によって空気中に含まれる塵や埃が除去されるため、筐体内部へ清浄な空気が取り込まれることになる。
【０００８】
筐体内部へと取り込まれた空気は、筐体内部を前方に向かって移動し（図中、矢印Ｂ２方向）、バーナー部１０８によって加熱された空気と混ざり合い、前板１０４に設けられた吹出口１０４ａから筐体外部へと吹き出される（図中、矢印Ｂ３方向）。これにより、室内の空気が暖められ、暖房効果が得られるようになる。なお、上述のように取込口１０３ａに防塵フィルタ１３０を取付けることにより、筐体内部に塵や埃が取り込まれることが防止されるため、安定した暖房効果が得られるようになる。
【０００９】
上述のようにファンガードや防塵フィルタは、空気を通気させるための孔を多数有しているため、筐体に比べて強度の点で劣っている。特に、防塵フィルターは主に金属細線を平織りにすることによって形成された網目状部から構成されているため、強度の点で大きく劣っている。このため、ファンガードや防塵フィルタに小さい外力がかかっただけでもその形状が大きく変形してしまうおそれがある。また、最悪の場合にはファンガードや防塵フィルタが破損してしまうことも考えられる。ファンガードおよび防塵フィルタの変形や破損は、吸気効率の悪化や防塵効果の低下につながり、温風暖房器の暖房能力の低下を誘発する。
【００１０】
また、温風暖房器を室内の壁に沿うように設置した場合には、壁によって防塵フィルタの網目状部が覆われてしまうことがある。この場合、吸気効率が悪化し、暖房能力が低下する。また、温風暖房器を窓の近傍などに設置した場合には、カーテンが防塵フィルタの網目状部に吸い込まれ、網目状部を覆ってしまうことがある。この場合にも吸気効率が悪化し、満足な暖房効果が得られなくなってしまう。特にカーテンを吸い込んだ場合には吸気効率が大幅に低減し、その暖房能力の低下は顕著なものとなる。
【００１１】
上記問題点を解決すべくなされたものに、特開昭６３−１２７０５３号公報に開示の温風暖房器がある。上記公報に開示の温風暖房器は、本体ケースの後部に設けられた吸気口の上方（防塵フィルタの主表面の側方）に把手を設けることにより、この把手によって防塵フィルタを保護するとともに、障害物によって防塵フィルタが覆われることを防止するものである。
【００１２】
しかしながら、上記公報に開示の温風暖房器にあっては、防塵フィルタの上方（防塵フィルタの主表面の側方）に把手が設けられているため、防塵フィルタの主表面の法線方向からかかる外力に対しては何らの保護機能もなく、またカーテンなどが防塵フィルタに吸い寄せられることを防止する効果も殆ど得られない。
【００１３】
【特許文献１】
特開昭６３−１２７０５３号公報
【００１４】
【発明が解決しようとする課題】
したがって、本発明は上記問題点を解決すべくなされたものであり、外力が加わることによるファンガードや防塵フィルタの変形および破損を確実に防止するとともに、壁面やカーテンなどによって防塵フィルタが塞がれることによる吸気効率の悪化を確実に防止することが可能な防塵フィルタの保護機構およびこれを備えた温風暖房器を提供することを目的とする。
【００１５】
【課題を解決するための手段】
本発明に基づく防塵フィルタの保護機構は、空気を取り込むための開口を含む筐体と、開口を覆うように筐体に取付けられる防塵フィルタと、防塵フィルタの主表面上方に位置し、防塵フィルタを跨ぐように延びる防塵フィルタ保護部材とを備える。
【００１６】
このように、防塵フィルタの主表面上方、つまり防塵フィルタの主表面の法線方向に防塵フィルタ保護部材を設けることにより、防塵フィルタ保護部材によって防塵フィルタが確実に保護されるため、直接外力が防塵フィルタの主表面にかかることを回避することが可能になる。本構成のように、防塵フィルタの主表面を跨ぐように防塵フィルタ保護部材を配置することにより、防塵フィルタが最も変形し易い防塵フィルタの主表面の法線方向からの外力に対しても防塵フィルタを十分に保護することが可能になる。また、この防塵フィルタ保護部材によって防塵フィルタの主表面と室内の壁やカーテンとの距離が保たれるようになるため、防塵フィルタの主表面が壁やカーテンによって塞がれることもなくなり、吸気効率が悪化することもなくなる。
【００１７】
上記本発明に基づく防塵フィルタの保護機構にあっては、たとえば、防塵フィルタ保護部材が、防塵フィルタの主表面上方に位置する第１の位置と、防塵フィルタの主表面側方に位置する第２の位置との間を自在に回動するように設けられていることが好ましい。
【００１８】
このように、防塵フィルタ保護部材を回動自在に取付けることにより、使用状況により選択的に防塵フィルタ保護部材を機能させることが可能になる。つまり、防塵フィルタ保護部材を機能させる場合には第１の位置へと移動させ、防塵フィルタ保護部材を機能させずに収納しておく場合には第２の位置へと移動させておくことが可能になる。これにより、たとえば長期間にわたって機器を保管収納する場合などに機器が嵩張ることがなくなるため、収納性に優れたものとなる。
【００１９】
上記本発明に基づく防塵フィルタの保護機構にあっては、たとえば、防塵フィルタ保護部材は、回動動作の基点となる第１および第２の回動軸部と、この第１および第２の回動軸部のそれぞれから立設して延びる第１および第２の延伸部と、第１および第２の延伸部の第１および第２の回動軸部側とは反対側の端部同士を結ぶ連結部とを含んでおり、防塵フィルタは、主表面を構成する網目状部と、射出成形により網目状部の周縁を覆うように網目状部に一体的に取付けられる樹脂成形部とを含んでおり、このうち樹脂成形部は防塵フィルタ保護部材の第１および第２の回動軸部を受入れる軸支部を有しており、第１および第２の回動軸部がこの軸支部に軸支されることにより、防塵フィルタ保護部材が防塵フィルタに取付けられていることが好ましい。
【００２０】
このように、防塵フィルタの網目状部と枠部分である樹脂成形部とを射出成形によって一体的に形成することにより、樹脂成形部に簡便に防塵フィルタ保護部材の軸支部を形成することが可能になる。この結果、簡易な作業にて防塵フィルタ保護部材を機器に組付けることが可能になる。
【００２１】
上記本発明に基づく防塵フィルタの保護機構にあっては、たとえば、防塵フィルタ保護部材を一対備え、この一対の防塵フィルタ保護部材の各々が互いに異なる方向に向かって回動することが好ましい。
【００２２】
このように、防塵フィルタ保護部材を一対設け、互いに異なる方向に向かって回動するように構成することにより、より簡便な構造にて確実に防塵フィルタを外力から保護することが可能になる。また、一対の防塵フィルタ保護部材とすることにより、その取扱性も優れたものとなる。
【００２３】
上記本発明に基づく防塵フィルタの保護機構にあっては、たとえば、第１および第２の延伸部のそれぞれには、防塵フィルタ保護部材が第１の位置から第２の位置へ回動する方向に向かって曲げ加工が施されていることが好ましい。
【００２４】
このように、防塵フィルタ保護部材の第１および第２の延伸部に第１の位置から第２の位置へ回動する方向に向かって曲げ加工を施しておくことにより、第１の位置にある防塵フィルタ保護部材に防塵フィルタの主表面の法線方向から外力が加わった場合にも、防塵フィルタ保護部材が第２の位置に向かって回動するようになるため、機器に加わる衝撃をより緩和する効果が得られるようになる。
【００２５】
本発明に基づく温風暖房器は、上述のいずれかの防塵フィルタの保護機構を備えていることが望ましい。
【００２６】
このように、上述のいずれかの防塵フィルタ保護機構を温風暖房器に適用することにより、防塵フィルタに向かって外力が加わった場合にも防塵フィルタ保護部材によって防塵フィルタが確実に保護されるため、防塵フィルタが変形したり破損したりする心配がなくなる。
【００２７】
【発明の実施の形態】
以下、本発明の一実施の形態について、図を参照して説明する。なお、本実施の形態においては、本発明に基づく防塵フィルタ保護機構を温風暖房器に適用した場合を例示する。
【００２８】
（温風暖房器の全体構造）
まず、本実施の形態における温風暖房器の全体構造について説明する。図１は、本実施の形態における温風暖房器の構造を示す概略斜視図である。
【００２９】
図１に示すように、本実施の形態における温風暖房器１は、箱形状の筐体を備えている。筐体は、前板４、側裏板３および天板５が組み合わされることによって形成されており、この筐体が置台２の上に載置されることにより、温風暖房器１の外装体が構成される。
【００３０】
前板４には、温風の吹出口（図示せず）が設けられる。天板５には、燃料タンク６を筐体内部にセットするための開口や、温風暖房器１の運転動作の切換え等を行なうための操作部７が配置される。側裏板３の背面部分には、外部の空気を取り込むための吸気口である取込口（図示せず）が設けられる。
【００３１】
側裏板３の背面部分に設けられた取込口は、ファンガード２０によって覆われる。ファンガード２０は、その主面に多数の通気孔２０ａを有している。ファンガード２０は、筐体内部に設置されたプロペラファン１０（図２参照）を保護したり、プロペラファン１０を取付けるための部材として機能するものであり、たとえば金属製の板状部材をプレス加工することによって形成される。
【００３２】
ファンガード２０は、さらに防塵フィルタ３０によって覆われる。防塵フィルタ３０は、たとえば金属製の細線を平織りにすることによって形成された網目状部３１を有しており、この網目状部３１には微細な孔が無数に存在している。網目状部３１の周縁は、樹脂成形部３２によって覆われており、この樹脂成形部３２が主に網目状部３１の枠材として機能している。樹脂成形部３２の側面には、軸支部３３が設けられている。
【００３３】
軸支部３３には、防塵フィルタ保護部材であるガード３７ａ，３７ｂが回動自在に組付けられている。図示する温風暖房器にあっては、ガードは上下に一対配置されており、上ガード３７ａと下ガード３７ｂとからなる。ガード３７ａ，３７ｂは、防塵フィルタ３０の主表面を構成する網目状部３１の上方を跨ぐように延びている。ガード３７ａ，３７ｂは、軸支部３３に回動自在に軸支されており、図中矢印Ａ１方向またはＡ２方向にそれぞれ略９０度回動する。なお、ガード３７ａ，３７ｂが防塵フィルタ３０の主表面上方にある場合を第１の位置（図に示す位置）とし、側方に位置する場合を第２の位置とする。
【００３４】
（内部構造および空気の流れ）
次に、本実施の形態における温風暖房器の内部構造および空気の流れについて説明する。図２は、図１示す温風暖房器のＩＩ−ＩＩ線に沿う概略断面図である。なお、図中に示す矢印は空気の流れを示すものである。
【００３５】
温風暖房器１の運転動作時には、ファンガード２０に取付けられたモータ９が通電されることにより駆動され、プロペラファン１０を回転駆動する。プロペラファン１０の回転動作により、防塵フィルタ３０の微細孔およびファンガード２０の通気孔２０ａを介して温風暖房器１の筐体外部に位置する空気が側裏板３に設けれた取込口３ａから筐体内部へと取り込まれる（図中、矢印Ｂ１方向）。このとき、防塵フィルタ３０の網目状部３１によって空気中に含まれる塵や埃が除去されるため、筐体内部へ清浄な空気が取り込まれることになる。
【００３６】
筐体内部へと取り込まれた空気は、筐体内部を前方に向かって移動し（図中、矢印Ｂ２方向）、バーナー部８によって加熱された空気と混ざり合い、前板４に設けられた吹出口４ａから筐体外部へと吹き出される（図中、矢印Ｂ３方向）。
【００３７】
（防塵フィルタおよび防塵フィルタ保護部材の構造）
次に、本実施の形態における防塵フィルタおよび防塵フィルタ保護部材であるガードの構造について説明する。図３は、図１に示す温風暖房器に組付けられる防塵フィルタの構造をより詳細に説明するための図であり、（ａ）は上面図、（ｂ）は側面図である。また、図４は、防塵フィルタに組付けられる防塵フィルタ保護部材であるガードの形状を示す斜視図である。
【００３８】
図３（ａ）および図３（ｂ）に示すように、防塵フィルタ３０は、網目状部３１、金属枠４２および樹脂成形部３２からなる。網目状部３１は、上述のように金属細線を平織りすることによって形成され、略方形の形状を有している。金属枠４２は、網目状部４１の上端を覆う断面コの字状の板状部材からなり、かしめることによって網目状部４１に固定される。樹脂成形部３２は、網目状部３１の側方端および下端を覆うように射出成形により形成される。樹脂成形部３２の側面の所定位置には、軸支部３３が形成される。
【００３９】
網目状部３１の上端を金属枠４２で覆っているのは、万が一、温風暖房器が異常加熱した場合に熱が上部に集中することを考慮したものであり、上端を覆う枠部分を耐熱性に優れた金属の枠とすることによって破損を防止するためである。また、網目状部３１の側方端および下端を樹脂成形部３２で覆っているのは、軸支部３３を射出成形によって簡便に形成できるように考慮したものであり、万が一、温風暖房器が異常加熱した場合にも上端に比べて熱の集中が少なく、樹脂が変形することもないためである。
【００４０】
軸支部３３は、ガード３７ａ，３７ｂを回動自在に軸支するための軸支穴３３ａと、ガード３７ａ，３７ｂの回動範囲が第１の位置から第２の位置までとなるように規定するための突出部３３ｂとを有する。軸支穴３３ａは、樹脂成形部３３の側面に設けられる。突出部３３ｂの内側には凸部３３ｃが設けられており、この凸部３３ｃによってガード３７ａ，３７ｂが防塵フィルタ３１の主表面上方の第１の位置に位置した状態で保持されるようになる。
【００４１】
樹脂成形部３２の所定位置には、ファンガード２０に防塵フィルタ３０を固定するための係止部３４，３５および３６が形成されている。係止部３４，３５および３６は、それぞれ端面から外側に向かって突出した形状を有しており、ファンガード２０に設けられた係止穴に挿し込むことが可能なように配置される。
【００４２】
図４に示すように、防塵フィルタ保護部材であるガード３７は、金属製の線材に曲げ加工を施すことによって形成される。ガード３７は、回動動作の基点となる第１および第２の回動軸部３８と、この第１および第２の回動軸部３８から立設して延びる第１および第２の第１および第２の延伸部３９と、第１および第２の延伸部３８の第１および第２の回動軸部３９側とは反対側の端部同士を結ぶ連結部４０とからなる。このうち第１および第２の延伸部３９のそれぞれの所定位置にはさらに曲げ加工が施されており、曲げ部３９ａを有している。なお、本実施の形態においては、上ガード３７ａと下ガード３７ｂとは同一の形状である。
【００４３】
（組付け構造）
次に、本実施の形態におけるファンガード、防塵フィルタおよび防塵フィルタ保護部材の組付け構造について説明する。図５は、図１に示す温風暖房器のファンガード、防塵フィルタおよび防塵フィルタ保護部材としてのガードの組付構造を説明するための分解斜視図である。
【００４４】
図に示すように、ファンガード２０は、温風暖房器１の側裏板３の背面部分に設けられた空気を取り込むための開口である取込口３ａを覆うように、ビス５０によって側裏板３に組付けられる。防塵フィルタ３０は、側裏板３に取付けられたファンガード２０を覆うようにファンガード２０に組付けられる。防塵フィルタの３０のファンガード２０への組付けは、防塵フィルタ３０の樹脂成形部３２に設けられた係止部３４，３５および３６をファンガード２０に設けられた係止穴２２に挿し込むことによって行なわれる。
【００４５】
上ガード３７ａおよび下ガード３７ｂの防塵フィルタ３０への組付けは、防塵フィルタ３０のファンガード２０への組付けにさきがけて行なわれる。具体的には、防塵フィルタ３０の樹脂成形部３２に設けられた軸支部３３に上ガード３７ａおよび下ガード３７ｂの回動軸部３８を挿し込むことによって行なわれる。以上により、ファンガード２０、防塵フィルタ３０および防塵フィルタ保護部材であるガード３７ａ，３７ｂの温風暖房器１への組付けが完了する。
【００４６】
（防塵フィルタ保護部材の回動動作）
次に、本実施の形態における防塵フィルタ保護部材の回動動作に付いて説明する。図６は、防塵フィルタ保護部材が第１の位置にある状態を示す側面図であり、図７は、第２の位置にある状態を示す側面図である。
【００４７】
図６に示すように、防塵フィルタ保護部材であるガード３７ａ，３７ｂが第１の位置にある場合は、防塵フィルタ３０の主表面はこれらガード３７ａ，３７ｂによって覆われることになる。このため、図中矢印Ｃ方向から外力が加わった場合にも、防塵フィルタ３０およびファンガード２０を保護することが可能になる。また、図７に示すように、ガード３７ａ，３７ｂが第２の位置にある場合は、防塵フィルター３０の主表面側方にガード３７ａ，３７ｂが収納されるため、温風暖房器１の筐体である側裏板３からガードが突出して嵩張ることもない。
【００４８】
上述のように、上ガード３７ａおよび下ガード３７ｂの各々の第１および第２の延伸部３９には、第１の位置から第２の位置へと回動する方向に向かって曲げ加工が施されている。このため、外力Ｃが一定以上の大きさである場合には上ガード３７ａおよび下ガード３７ｂが係止部３３ｂに設けられた凸部３３ｃを乗り越えて第１の位置（図６の状態）から第２の位置（図７の状態）の方向（図中矢印Ａ１およびＡ２方向）へと回動する。これにより、外力Ｃが温風暖房器１の機器本体に直接作用せず、衝撃の緩和を図ることが可能になる。
【００４９】
（効果）
上記構成の防塵フィルタ保護機構を備えた温風暖房器とすることにより、ガードによって確実に防塵フィルタが保護されるため、直接外力が防塵フィル多の主表面にかかることを回避することが可能になる。特に、防塵フィルタの主表面の法線方向からの外力に対する保護機能が確実に確保されるため、防塵フィルタやファンガードの変形・破損が防止されるようになる。また、ガードによって室内の壁との距離が確保されるため、所望の暖房効果が確実に得られるようになる。また、温風暖房器を窓際に設置した場合にカーテンが防塵フィルタに吸い寄せられて防塵フィルタを覆うこともなくなるため、所望の暖房効果が確実に得られるようになる。
【００５０】
上記実施の形態においては、防塵フィルタ保護部材を金属製の線材からなるガードにて構成した場合を例示して説明を行なったが特にこれに限定されるものではなく、どのような材質を用いてもよいし、さらにはどのような形状としてもよい。また、上記実施の形態においては、防塵フィルタ保護部材を一対すなわち２本のガードにて構成した場合を例示して説明を行なったが特にこれに限定されるものではない。
【００５１】
また、上記実施の形態においては、本発明に基づく防塵フィルタの保護機構を温風暖房器に適用した場合を例示して説明を行なったが、防塵フィルタを備える機器であればどのような機器に対して本発明を適用することは可能である。
【００５２】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【００５３】
【発明の効果】
本発明によれば、外力が加わることによるファンガードや防塵フィルタの変形および破損を確実に防止することが可能になるとともに、壁面やカーテンなどによって防塵フィルタが塞がれることによる吸気効率の悪化を確実に防止することが可能になる。
【図面の簡単な説明】
【図１】本発明の一実施の形態における温風暖房器の概略斜視図である。
【図２】図１に示す温風暖房器のＩＩ−ＩＩ線に沿う概略断面図である。
【図３】本発明の一実施の形態における温風暖房器の防塵フィルタの構造を説明するための上面図および側面図である。
【図４】本発明の一実施の形態における温風暖房器の防塵フィルタ保護部材の形状を説明するための斜視図である。
【図５】図１に示す温風暖房器のファンガード、防塵フィルタおよび防塵フィルタ保護部材の組付構造を説明するための分解斜視図である。
【図６】本発明の一実施の形態における温風暖房器において、防塵フィルタ保護部材が第１の位置にある状態を示す側面図である。
【図７】本発明の一実施の形態における温風暖房器において、防塵フィルタ保護部材が第２の位置にある状態を示す側面図である。
【図８】従来の一般的な温風暖房器の概略斜視図である。
【図９】図８に示す温風暖房器のＩＸ−ＩＸ線に沿う概略断面図である。
【符号の説明】
１　温風暖房器、２　置台、３　側裏板、３ａ　取込口、４　前板、４ａ　吹出口、５　天板、６　燃料タンク、７　操作部、８　バーナー部、９　モータ、１０　ファン、２０　ファンガード、２０ａ　通気孔、２２　係止穴、３０　防塵フィルタ、３１　網目状部、３２　樹脂成形部、３３　軸支部、３３ａ　軸支穴、３３ｂ　突出部、３３ｃ　凸部、３４，３５，３６　係止部、３７ａ　上ガード、３７ｂ　下ガード、３８　回動軸部、３９　延伸部、３９ａ　曲げ部、４０　連結部、４２　金属枠、４３　かしめ部、５０　ビス。
【図１】
2004101059.tif 000003
【図２】
2004101059.tif 000004
【図３】
2004101059.tif 000005
【図４】
2004101059.tif 000006
【図５】
2004101059.tif 000007
【図６】
2004101059.tif 000008
【図７】
2004101059.tif 000009
【図８】
2004101059.tif 000010
【図９】
2004101059.tif 000011